(57)【要約】【課題】インターネットルータの店舗内の設置が店舗オーナーの自己費用負担が軽減され、場合によっては費用負担がなされることを要せず、店舗への効果的な集客を図るための手段、方法を提供する。【解決手段】取得した情報をフォーマットファイル部に適用してフォーマットファイルを形成し、携帯端末利用顧客が携帯端末で店舗内に設置されたインターネットルータからインターネットにアクセスしたとき、携帯端末の固有情報からの携帯端末利用の顧客の顧客識別情報、およびインターネットルータの固有識別情報に関連付けられてデータベースに格納された店舗識別情報から、店舗ごと、および店舗ごと顧客識別情報ごとのインターネットアクセス回数を取得し、フォーマットファイルに蓄積させ、蓄積されたインターネットアクセス回数に対応して予め定めた方式に従って店舗ごと顧客識別情報ごとに電子サービススタンプ数を演算し、フォーマットファイルに蓄積させる。【選択図】図１
2014228958.tif 000002
【特許請求の範囲】
【請求項１】
データベースに、サービス運用機関によって店舗ごとに設置されたインターネットルータの固有識別情報、および当該インターネットルータが設置された、インターネット接続サービスを提供し、インターネットルータの固有識別情報に関連付けられた店舗の店舗識別情報と当該店舗識別情報とが関連付けられて形成されたフォーマットファイル部が格納され、
店舗内の当該インターネットルータを介してインターネットにアクセスした携帯端末の固有情報から携帯端末利用の顧客の顧客識別情報が取得され、当該インターネットルータから、インターネットルータの固有識別情報およびデータベースに格納された店舗識別情報が取得され、
演算処理手段が、双方の手段が取得した情報をフォーマットファイル部に適用してフォーマットファイルを形成し、携帯端末利用顧客が携帯端末で店舗内に設置されたインターネットルータからインターネットにアクセスしたとき、携帯端末の固有情報からの携帯端末利用の顧客の顧客識別情報、およびインターネットルータの固有識別情報に関連付けられてデータベースに格納された店舗識別情報から、店舗ごと、および店舗ごと顧客識別情報ごとのインターネットアクセス回数を取得し、フォーマットファイルに蓄積させ、蓄積されたインターネットアクセス回数に対応して予め定めた方式に従って店舗ごと顧客識別情報ごとに、電子サービススタンプ数を演算し、フォーマットファイルに蓄積させ、
画像表示手段に、店舗ごとに蓄積されたインターネットルータからのインターネットアクセス回数およびフォーマットファイルごとに蓄積された電子サービススタンプ数を画面表示させること
を特徴とするサービス運用機関のインターネットアクセス店舗管理サーバ。
【請求項２】
請求項１において、通信手段を介してフォーマットファイルごとに蓄積された電子サービススタンプ数が当該携帯端末に送信され、提供されることを特徴とするサービス運用機関のインターネットアクセス店舗管理サーバ。
【請求項３】
請求項１において、演算処理手段が、店舗ごとに蓄積されたインターネットルータからのインターネットアクセス回数に対応して、予め定められた方式に従って店舗ごとにインターネットルータ利用料金を算出することを特徴とするサービス運用機関のインターネットアクセス店舗管理サーバ。
【請求項４】
請求項１に記載されたインターネットアクセス店舗管理サーバとサービス運用機関によって配設されたインターネットルータから構成されるインターネットアクセス店舗管理システム。
【請求項５】
データベースに、サービス運用機関によって店舗ごとに設置されたインターネットルータの固有識別情報、および当該インターネットルータが設置された、インターネットルータの固有識別情報に関連付けられた店舗の店舗識別情報と当該店舗識別情報とが関連付けられて形成されたフォーマットファイル部が格納され、
顧客識別情報取得手段が、店舗内の当該インターネットルータを介してインターネットにアクセスした携帯端末の固有情報から携帯端末利用の顧客の顧客識別情報を取得し、店舗識別情報取得手段が、インターネットルータの固有識別情報からデータベースに格納された店舗識別情報を取得し、
演算処理手段が、双方の手段が取得した情報をフォーマットファイル部に適用してフォーマットファイルを形成し、携帯端末利用顧客が店舗内に設置されたインターネットルータからインターネットにアクセスしたとき、携帯端末の固有情報から携帯端末利用の顧客の顧客識別情報、およびインターネットルータの固有識別情報に関連付けられてデータベースに格納された店舗識別情報から、店舗ごと、および店舗ごと顧客ごとのインターネットアクセス回数を取得し、フォーマットファイルに蓄積させ、蓄積されたインターネットアクセス回数に対応して予め定めた方式に従って店舗ごと顧客ごとに、電子サービススタンプ数を演算して付与し、フォーマットファイルに蓄積し、
画像表示手段に、店舗ごとに蓄積されたインターネットルータからのインターネットアクセス回数およびフォーマットファイルごとに蓄積された電子サービススタンプ数を画面表示させること
を特徴とするサービス運用機関のインターネットアクセス店舗管理サーバによるサービス提供方法。
【請求項６】
請求項５において、通信手段を介してフォーマットファイルごとに蓄積された電子サービススタンプ数が、当該携帯端末に送信され、提供されることを特徴とするサービス運用機関のインターネットアクセス店舗管理サーバによるサービス提供方法。
【請求項７】
請求項５において、演算処理手段が、店舗ごとに蓄積されたインターネットルータからのインターネットアクセス回数に対応して、予め定められた方式に従って店舗ごとにインターネットルータ利用料金を算出することを特徴とするサービス運用機関のインターネットアクセス店舗管理サーバによるサービス提供方法。
【発明の詳細な説明】
【背景技術】
【０００１】
サービス運用機関のインターネットアクセス店舗管理サーバおよびこのサーバによるサービス提供方法に関する。
【技術分野】
【０００２】
店舗への効果的な集客を図るために種々の方法が提案されている。例えば、電子ポイント提供サービスシステムがある。特許文献１には、ポイント管理サーバ装置で電子的なポイントを管理し、店舗は店舗端末装置と顧客の携帯電話を接続し、ポイント利用可能情報を顧客に送信するようにしたことが記載されている。
【０００３】
特許文献２には、店舗識別情報および携帯端末識別情報を記録し、利用者の来店を確認できる管理サーバおよびこのようなサーバ管理を利用した来店確認システムが記載されている。
【０００４】
特許文献３には、顧客をデータベースに登録し、顧客を顧客が使用する携帯電話機を利用して会員と認識し、会員の来店および/または取引履歴に基づいてカスタマイズされた販売促進情報を携帯電話機へ電子メールで送信することが記載されている。
【０００５】
特許文献４には、短距離無線デバイス付きの携帯電話機を利用する顧客サービスシステムは、顧客がサービスを利用した履歴である履歴情報を取得し、顧客のサービスの利用状況に応じてポイントを加算することが記載されている。  
【先行技術文献】
【特許文献】
【０００６】
【特許文献１】特開２００２−１９７３３４号公報
【特許文献２】特開２０１０−１０２５３９号公報
【特許文献３】特開２０１１−１３８１８２号公報
【特許文献４】特開２００３−１９６５５２号公報
【発明の概要】
【発明が解決しようとする課題】
【０００７】
上述したように、携帯端末識別情報および店舗識別情報をそれぞれ照合すること、顧客を顧客が使用する携帯電話機を利用して会員と認識し、会員の来店および/または取引履歴に基づいてカスタマイズされた販売促進情報を携帯電話機へ電子メールで送信すること
が知られている。また、特許文献４に示されるように、短距離無線デバイス付きの携帯電話機を利用する顧客サービスシステムは、顧客がサービスを利用した履歴である履歴情報を取得し、顧客のサービスの利用状況に応じてポイントを加算することが知られている。
店舗への効果的な集客を図るために店舗内にインターネットルータを配置し、インターネットへのアクセスの便宜を提供することがなされる。従来、インターネットルータの店舗内の設置は店舗オーナーの自己費用によってされており、店舗への集客を図りたくても店舗に容易に設置することが出来ないでいた。このため、店舗によっては、十分に顧客へのサービスが提供されない状況にあり、店舗への効果的な集客を図るための手段、方法が必要となった。
【０００８】
本発明は、かかる点に鑑みインターネットルータの店舗内の設置が店舗オーナーの自己費用負担が軽減され、場合によっては費用負担がなされることを要せず、店舗への効果的な集客を図るための手段、方法を提供することを目的とする。
【課題を解決するための手段】
【０００９】
本発明は、サービス運用機関がインターネットルータ（フリースポットルータともいう）とスタンプサービスとをセットにして提供し、利用者である顧客が所有あるいは活用する、例えばスマートフォンがスタンプカードになり、フリースポットにつなぐだけで、来店ごとに電子スタンプが自動的に溜まっていくサービス運用機関のインターネットアクセス店舗管理サーバおよびこの管理サーバによるサービス提供方法を提供する。
【００１０】
本発明は、データベースに、サービス運用機関によって店舗ごとに設置されたインターネットルータの固有識別情報、および当該インターネットルータが設置された、インターネット接続サービスを提供し、インターネットルータの固有識別情報に関連付けられた店舗の店舗識別情報と当該店舗識別情報とが関連付けられて形成されたフォーマットファイル部が格納され、
店舗内の当該インターネットルータを介してインターネットにアクセスした携帯端末の固有情報から携帯端末利用の顧客の顧客識別情報が取得され、当該インターネットルータから、インターネットルータの固有識別情報およびデータベースに格納された店舗識別情報が取得され、
演算処理手段が、双方の手段が取得した情報をフォーマットファイル部に適用してフォーマットファイルを形成し、携帯端末利用顧客が携帯端末で店舗内に設置されたインターネットルータからインターネットにアクセスしたとき、携帯端末の固有情報からの携帯端末利用の顧客の顧客識別情報、およびインターネットルータの固有識別情報に関連付けられてデータベースに格納された店舗識別情報から、店舗ごと、および店舗ごと顧客識別情報ごとのインターネットアクセス回数を取得し、フォーマットファイルに蓄積させ、蓄積されたインターネットアクセス回数に対応して予め定めた方式に従って店舗ごと顧客識別情報ごとに、電子サービススタンプ数を演算し、フォーマットファイルに蓄積し、
画像表示手段に、店舗ごとに蓄積されたインターネットルータからのインターネットアクセス回数およびフォーマットファイルごとに蓄積された電子サービススタンプ数を画面表示させること
を特徴とするサービス運用機関のインターネットアクセス店舗管理サーバを提供する。
【００１１】
インターネットアクセス店舗管理サーバは、通信手段を介してフォーマットファイルごとに蓄積された電子サービススタンプ数が当該携帯端末に送信され、提供されることを特徴とする。
インターネットアクセス店舗管理サーバの演算処理手段が、店舗ごとに蓄積されたインターネットルータからのインターネットアクセス回数に対応して、予め定められた方式に従って店舗ごとにインターネットルータ利用料金を算出することを特徴とする。
【００１２】
本発明は、インターネットアクセス店舗管理サーバとサービス運用機関によって配設されたインターネットルータから構成されるインターネットアクセス店舗管理システムを提供する。
【００１３】
本発明は、データベースに、サービス運用機関によって店舗ごとに設置されたインターネットルータの固有識別情報、および当該インターネットルータが設置された、インターネットルータの固有識別情報に関連付けられた店舗の店舗識別情報と当該店舗識別情報とが関連付けられて形成されたフォーマットファイル部が格納され、
顧客識別情報取得手段が、店舗内の当該インターネットルータを介してインターネットにアクセスした携帯端末の固有情報から携帯端末利用の顧客の顧客識別情報を取得し、店舗識別情報取得手段が、インターネットルータの固有識別情報からデータベースに格納された店舗識別情報を取得し、
演算処理手段が、双方の手段が取得した情報をフォーマットファイル部に適用してフォーマットファイルを形成し、携帯端末利用顧客が店舗内に設置されたインターネットルータからインターネットにアクセスしたとき、携帯端末の固有情報から携帯端末利用の顧客の顧客識別情報、およびインターネットルータの固有識別情報に関連付けられてデータベースに格納された店舗識別情報から、店舗ごと、および店舗ごと顧客ごとのインターネットアクセス回数を取得し、フォーマットファイルに蓄積させ、蓄積されたインターネットアクセス回数に対応して予め定めた方式に従って店舗ごと顧客ごとに、電子サービススタンプ数を演算して付与し、フォーマットファイルに蓄積させ、
画像表示手段に、店舗ごとに蓄積されたインターネットルータからのインターネットアクセス回数およびフォーマットファイルごとに蓄積された電子サービススタンプ数を画面表示させること
を特徴とするサービス運用機関のインターネットアクセス店舗管理サーバによるサービス提供方法を提供する。
【００１４】
インターネットアクセス店舗管理サーバによるサービス提供方法が、通信手段を介してフォーマットファイルごとに蓄積された電子サービススタンプ数が、当該携帯端末に送信され、提供されることを特徴とする。
【００１５】
インターネットアクセス店舗管理サーバによるサービス提供方法は、演算処理手段が店舗ごとに蓄積されたインターネットルータからのインターネットアクセス回数に対応して、予め定められた方式に従って店舗ごとにインターネットルータ利用料金を算出することを特徴とする。
【発明の効果】
【００１６】
本発明は、フォーマットファイルを形成し、携帯端末利用顧客が携帯端末で店舗内に設置されたインターネットルータからインターネットにアクセスしたとき、携帯端末の固有情報からの携帯端末利用の顧客の顧客識別情報、およびインターネットルータの固有識別情報に関連付けられてデータベースに格納された店舗識別情報から、店舗ごと、および店舗ごと顧客識別情報ごとのインターネットアクセス回数を取得し、フォーマットファイルに蓄積させ、蓄積されたインターネットアクセス回数に対応して予め定めた方式に従って店舗ごと顧客識別情報ごとに、電子サービススタンプ数を演算し、フォーマットファイルに蓄積するようにしているので、短距離無線デバイス付きであることを要せず、インターネットルータの店舗内の設置が店舗オーナーの自己費用負担が軽減されることが可能とされ、場合によっては費用負担がなされることを要せず、店舗への効果的な集客を図るための手段、方法を提供することが出来る。
【００１７】
サービススタンプは、従来店舗が配布する、スタンプカードやポイントカードなどを用いて実施されてきた。このような方式であると、顧客は数多くのスタンプカードを持ち歩くことになって、不便であり、顧客によっては、スタンプカードが断わられることがあった。本発明では、顧客が所持しているスマートフォンなどの携帯端末に、インターネットへのアクセスがあると自動的にサービススタンプを蓄積することが出来、顧客の利便性を考慮したものとすることが出来る。
【図面の簡単な説明】
【００１８】
【図１】本発明実施例の形態を示すブロック図。
【図２】本発明実施例のフローを示す図。
【図３】フォーマットファイルの内容を示す図。
【図４】店舗ごと顧客ごとのサービスポイント報告を示す画面図。
【図５】店舗ごとアクセス回数報告を示す画面図。
【発明を実施するための形態】
【００１９】
以下、本発明の実施例を図面に基づいて説明する。
【実施例】
【００２０】
図１は、インターネットアクセス店舗管理サーバ１の構成を示す図である。
【００２１】
図１において、インターネットアクセス店舗管理サーバ１は、インターネット４を介してインターネットルータ３に接続され、インターネットルータ３は顧客携帯端末２に接続され、インターネットアクセス店舗管理システム１００が構成される。
【００２２】
インターネットアクセス店舗管理システム１００およびインターネットアクセス店舗管理サーバ１は、サービス運用機関によって運用される。インターネットルータ３は、サービス運用機関によってサービス利用店舗に配設される。配設に際しては、本サービスを受けたい旨の申し込みが顧客からなされる。店舗への配設、サービス享受に際しての条件については予め双方当事者間に契約が締結される。
【００２３】
顧客が利用する携帯端末は、スマートフォンが典型例であるが、他の携帯型の端末であればよい。
【００２４】
インターネットでフリースポットにアクセスされる。フリースポットとは、フリースポット協議会により定義された、無線ＬＡＮアクセスポイントを設置した公共空間（駅、公共機関、宿伯施設、カフェなど）、およびそれを使った公共無線ＬＡＮのことである。フリースポットは、例えば多くの空港に設置されている。
【００２５】
本発明は、サービス運用機関がインターネットルータとスタンプサービスとをセットにして提供し、利用者である顧客が所有あるいは活用する、例えばスマートフォンがスタンプカードになり、フリースポットにつなぐだけで、来店ごとに電子スタンプが自動的に溜まっていくサービス運用機関のインターネットアクセス店舗管理サーバおよびこの管理サーバによるサービス提供方法を提供する。以下、詳述する。
【００２６】
図１において、インターネットアクセス店舗管理サーバ１は、演算処理手段１１、顧客識別情報取得手段１２、店舗識別情報取得手段１３、画像表示手段１４、通知手段１５、およびデータベース１６から構成される。
【００２７】
演算処理手段１１は、照合・判定、演算処理、フォーマットファイルの形成、フォーマットファイルデータの出力指示を行うことが出来る。画像表示手段１２は、フォーマットファイルデータを表示するファーマットファイル画面を備える。
【００２８】
顧客識別情報取得手段１２は、店舗内の当該インターネットルータを介してインターネットにアクセスした携帯端末の固有情報から携帯端末利用の顧客の顧客識別情報を取得し、店舗識別情報取得手段１３は、インターネットルータの固有識別情報からデータベースに格納された店舗識別情報を取得する。
【００２９】
画像表示手段１４は、フォーマットファイルデータを表示するフォーマットファイル画面を備えて、演算処理手段１１からの指示があった時に、店舗ごとに蓄積されたインターネットルータからのインターネットアクセス回数およびフォーマットファイルごとに蓄積された電子サービススタンプ数を画面表示することができる。
【００３０】
通知手段１５は、インターネット４を介してインターネットルータ３に接続される。店舗が、添付専属の端末を有するような場合、この端末との間で情報の授受を行うことが出来る。
【００３１】
データベース１６には、顧客識別ＤＢ１７、店舗識別ＤＢ１８、アクセス回数、ポイント数蓄積ＤＢ１９、フォーマットファイル部とフォーマットファイル２０、本サービスのＵＲＬ２１が備えられる。
【００３２】
インターネットルータ３は、サービス運用機関によってサービス利用店舗に設置され、サーバ接続手段３１、顧客識別手段３２、店舗識別手段３３を備える。
【００３３】
顧客識別手段３は、固有識別番号を識別する。店舗識別番号および顧客識別番号の典型的な例は、ＭＡＣアドレスとなる。これらの固有識別番号は、顧客識別情報取得手段１２、店舗識別情報取得手段１３に取り入れられ、顧客識別情報、店舗識別情報となる。
【００３４】
演算処理手段１１の照合・判定機能は、入力された顧客ＩＤおよび店舗ＩＤをデータベース１４格納された顧客ＩＤ、店舗ＩＤに照合して同一であるかどうかを判定することを行う。演算処理機能は、取得した情報をフォーマットファイル部に適用してフォーマットファイルを形成し、携帯端末利用顧客が店舗内に設置されたインターネットルータからインターネットにアクセスしたとき、携帯端末の固有情報から携帯端末利用の顧客の顧客識別情報、およびインターネットルータの固有識別情報に関連付けられてデータベースに格納された店舗識別情報から、店舗ごと、および店舗ごと顧客ごとのインターネットアクセス回数を取得し、フォーマットファイルに蓄積させ、蓄積されたインターネットアクセス回数に対応して予め定めた方式に従って店舗ごと顧客ごとに、電子サービススタンプ数を演算して付与し、フォーマットファイルに蓄積させることが出来る。
【００３５】
通信手段であるインターネット４を介してフォーマットファイルごとに蓄積された電子サービススタンプ数が、顧客携帯端末２に送信され、提供される。
演算処理手段１１が店舗ごとに蓄積されたインターネットルータからのインターネットアクセス回数に対応して、予め定められた方式に従って店舗ごとにインターネットルータ利用料金を算出し、提供することで、インターネットアクセス店舗管理サーバ１によるサービス提供がなされる。
【００３６】
顧客識別ＤＢ１７には、演算識別処理手段１１で識別された顧客識別情報が格納される。店舗識別ＤＢには、識別された店舗識別情報が格納される。アクセツ回数とポイント数蓄積ＤＢ１９には、取得されたインターネットアクセツ回数および算出された店舗ごと顧客ごとのサービスポイント数が蓄積され格納される。フォーマットファイル部とフォーマットファイル２０には、インターネットルータの固有識別情報に関連付けられた店舗の店舗識別情報と当該店舗識別情報とが関連付けられて形成されたフォーマットファイル部が格納され、演算処理手段が、顧客識別情報取得手段１２および店舗識別情報取得手段１３の双方の手段が取得した情報をフォーマットファイル部に適用して形成したフォーマットファイル３０（図３）を格納する。
【００３７】
データベースに、サービス運用機関によって店舗ごとに設置されたインターネットルータの固有識別情報、および当該インターネットルータが設置された、インターネット接続サービスを提供し、インターネットルータの固有識別情報に関連付けられた店舗の店舗識別情報と当該店舗識別情報とが関連付けられて形成されたフォーマットファイル部が格納され、顧客識別情報取得手段１２および店舗識別情報取得手段１３の双方の手段が取得した情報をフォーマットファイル部に適用して形成されたフォーマットファイルが格納される。
【００３８】
本サービスのＵＲＬ２１には、インターネットアクセス店舗管理サーバ１が提供する本サービスのＵＲＬが格納される。このＵＲＬにアクセルすることで、インターネットアクセス店舗管理サーバ１が提供する本サービスを申し込むことが出来る。
【００３９】
図２は、本発明の実施例のフローを示す。
【００４０】
図２において、顧客携帯端末（例えば、スマートフォン）、インターネットルータ、集客を意図して本サービスを享受することを申し込んだ店舗、インターンネットアクセス店舗管理サーバ、およびインターネットとの関係が表示される。
【００４１】
図２において、店舗が本サービスの申し込みをしたことから開始される。インターネットアクセス店舗管理サーバは、本サービスを利用するための店舗登録、インターネットルータの固有識別番号、本サービスのＵＲＬを登録する。これらが登録されると、サービス運用機関は、インターネットルータを店舗に発送する。この店舗内において、インターネットルータが設置され、インターネット接続サービスが開始される状態となる。
【００４２】
１）顧客は、インターネットルータにスマートフォンを接続する。
２）携帯端末の固有情報を自動取得
３）インターンネットアクセス店舗管理サーバに接続
インターネネットアクセス店舗管理サーバにおいて、
４）接続してきたインターネットルータの固有識別情報を自動取得
５）インターネットルータにアクセスした顧客端末の固有識別情報を取得
６）上記４）＋５）の情報で、当該店舗の顧客を照合、識別、特定
格納していない場合には、顧客情報を取得した顧客情報をデータベースに登録
７）当日を含む、過去にアクセスした履歴を検索
８）スタンプ画面を作成し、アクセス回数、店舗ごと顧客ごとスタンプ数表示
当日のアクセスがなければ、過去履歴１回を１スタンプとしてデータベースに記録
インターネットルータは、
９）スタンプ画面を顧客のスマートフォンに画面表示させる。
スマートフォンは、
１０）スタンプ画面表示する。
インターネットルータは、
１１）インターネット接続ボタン押下でインターネット接続する。
【００４３】
図３は、演算処理手段１１が、双方の手段が取得した情報をフォーマットファイル部に適用して形成したフォーマットファイル３０を示す。フォーマットファイルは、店舗ごと顧客ごとに当日のアクセスおよび過去のアクセス履歴を記録する。これらのアクセス数は統計される。
【００４４】
図４は、店舗ごと顧客ごとサービスポイント報告を示す画面である。この画面は、インターネネットアクセス店舗管理サーバ１１の画像表示手段１４の画面、およびスマートファンの画面に表示される。望ましくは、店舗内の表示端末の画面にも表示される。
【００４５】
図５は店舗ごとのアクセス回数報告画面を示す。インターネネットアクセス店舗管理サーバ１１の画像表示手段１４の画面がこれに該当する。
インターネットルータ３は、サービス運用機関によって店舗に提供されるが、インターネットルータ３を１年間無料レンタルとすることが出来る。同時に、インターネネットアクセス店舗管理サーバスタンプスポット無料キャンペーンによるサービスの導入を図ることが出来る。
【００４６】
サービス運用機関は、ギフトプレゼントキャンペーンにより、顧客ごと識別情報を取得して情報収集を行い、有料店舗を獲得するための顧客を予め獲得しておくことが出来る。
店舗は、無料期間終了後、インターネットルータの購入あるいは返却する。継続の場合に、月額料金を設定することが出来る。この設定に際しては、店舗ごと統計されたアクセス回数が参照される。
【符号の説明】
【００４７】
１…インターネットアクセス店舗管理サーバ、２…インターネットルータ、３…顧客携帯端末、４…インターネット、１１…演算処理手段、１２…画像表示手段、１３…顧客識別情報取得手段、１４…店舗識別情報取得手段、１４…画像表示手段、１５…通知手段、１６…データベース（ＤＢ）、１７…顧客識別ＤＢ，１８…店舗識別ＤＢ，１９…アクセツ回数とポイント数蓄積ＤＢ，２０…ファーマットファイル部とフォーマットファイル、３１…サーバ接続手段、３２…顧客識別手段、３３…店舗識別手段、１００…インターネットアクセス店舗管理システム。
【図１】
2014228958.tif 000003
【図２】
2014228958.tif 000004
【図３】
2014228958.tif 000005
【図４】
2014228958.tif 000006
【図５】
2014228958.tif 000007
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
データベースに、サービス運用機関によって店舗ごとに設置されたインターネットルータの固有識別情報、および当該インターネットルータが設置された、インターネット接続サービスを提供し、インターネットルータの固有識別情報に関連付けられた店舗の店舗識別情報と当該店舗識別情報とが関連付けられて形成されたフォーマットファイル部が格納され、
店舗内の当該インターネットルータを介してインターネットにアクセスした携帯端末の固有情報から携帯端末利用の顧客の顧客識別情報が取得され、当該インターネットルータから、インターネットルータの固有識別情報およびデータベースに格納された店舗識別情報が取得され、
演算処理手段によって、双方の手段が取得した情報をフォーマットファイル部に適用してフォーマットファイルを形成し、携帯端末利用顧客が携帯端末で店舗内に設置されたインターネットルータからインターネットにアクセスしたとき、携帯端末の固有情報からの携帯端末利用の顧客の顧客識別情報、およびインターネットルータの固有識別情報に関連付けられてデータベースに格納された店舗識別情報から、店舗ごと、および店舗ごと顧客識別情報ごとに、インターネットアクセスに対応して顧客識別情報に関連した当該店舗来店情報が取得され、インターネットアクセス回数が取得されて、フォーマットファイルに蓄積させ、蓄積されたインターネットアクセス回数に対応して予め定めた方式に従って店舗ごと顧客識別情報ごとに、電子サービススタンプ数が演算され、フォーマットファイルに蓄積させ、
画像表示手段に、店舗ごとに蓄積されたインターネットルータからのインターネットアクセス回数およびフォーマットファイルごとに蓄積された電子サービススタンプ数が画面表示されること
を特徴とするサービス運用機関のインターネットアクセス店舗管理サーバ。
【請求項２】
請求項１において、通信手段を介してフォーマットファイルごとに蓄積された電子サービススタンプ数が当該携帯端末に送信され、提供されることを特徴とするサービス運用機関のインターネットアクセス店舗管理サーバ。
【請求項３】
請求項１において、演算処理手段が、店舗ごとに蓄積されたインターネットルータからのインターネットアクセス回数に対応して、予め定められた方式に従って店舗ごとにインターネットルータ利用料金を算出することを特徴とするサービス運用機関のインターネットアクセス店舗管理サーバ。
【請求項４】
請求項１に記載されたインターネットアクセス店舗管理サーバとサービス運用機関によって配設されたインターネットルータから構成されるインターネットアクセス店舗管理システム。
【請求項５】
データベースに、サービス運用機関によって店舗ごとに設置されたインターネットルータの固有識別情報、および当該インターネットルータが設置された、インターネットルータの固有識別情報に関連付けられた店舗の店舗識別情報と当該店舗識別情報とが関連付けられて形成されたフォーマットファイル部が格納され、
顧客識別情報取得手段が、店舗内の当該インターネットルータを介してインターネットにアクセスした携帯端末の固有情報から携帯端末利用の顧客の顧客識別情報を取得し、店舗識別情報取得手段が、インターネットルータの固有識別情報からデータベースに格納された店舗識別情報を取得し、
演算処理手段が、双方の手段が取得した情報をフォーマットファイル部に適用してフォーマットファイルを形成し、携帯端末利用顧客が店舗内に設置されたインターネットルータからインターネットにアクセスしたとき、携帯端末の固有情報から携帯端末利用の顧客の顧客識別情報、およびインターネットルータの固有識別情報に関連付けられてデータベースに格納された店舗識別情報から、店舗ごと、および店舗ごと顧客ごとに、インターネットアクセスに対応して顧客識別情報に関連した当該店舗来店情報を取得し、インターネットアクセス回数を取得し、フォーマットファイルに蓄積させ、蓄積されたインターネットアクセス回数に対応して予め定めた方式に従って店舗ごと顧客ごとに、電子サービススタンプ数を演算して取得し、フォーマットファイルに蓄積し、
画像表示手段に、店舗ごとに蓄積されたインターネットルータからのインターネットアクセス回数およびフォーマットファイルごとに蓄積された電子サービススタンプ数を画面表示させること
を特徴とするサービス運用機関のインターネットアクセス店舗管理サーバによるサービス提供方法。
【請求項６】
請求項５において、通信手段を介してフォーマットファイルごとに蓄積された電子サービススタンプ数が、当該携帯端末に送信され、提供されることを特徴とするサービス運用機関のインターネットアクセス店舗管理サーバによるサービス提供方法。
【請求項７】
請求項５において、演算処理手段が、店舗ごとに蓄積されたインターネットルータからのインターネットアクセス回数に対応して、予め定められた方式に従って店舗ごとにインターネットルータ利用料金を算出することを特徴とするサービス運用機関のインターネットアクセス店舗管理サーバによるサービス提供方法。